(57)【要約】【課題】  非接触及びコードレスで文字や記号などのキャラクタまたは絵やイラストなどの描画情報を任意に入力し表現できるとともに、装置の低コスト化及び小型化を可能にした描画装置を提供する。【解決手段】  描画ペン１２から出射される描画用光ビームを二次元センサ１３に向け、この状態で描画ペン１２を空間上でＸ−Ｙ方向に操作することにより、この描画用光ビームのＸ−Ｙ方向の位置を二次元センサ１３で検出し、この描画用光ビームの位置を信号処理回路１３４によりＸ方向、Ｙ方向の座標位置データに変換し、さらに、この描画用の座標位置データを画像処理回路１４１により画像データに変換した後、この画像データを表示制御回路１４２によりビデオ信号に変換し、描画ペン１２に空間上に描かれる入力画像を表示部１１に表示するようにした。【選択図】  図２
0003121404.tif 000002
【実用新案登録請求の範囲】
【請求項１】
表示部と、
描画用光ビームを発するリモート式の描画ペンと、
前記表示部側に配置され、前記描画ペンからの前記描画用光ビームを検知するとともに該描画ペンが空間上でＸ−Ｙ方向に操作されることに伴う前記描画用光ビームのＸ−Ｙ方向の位置を検出する二次元センサと、
前記二次元センサで検出された前記描画用光ビームの位置をＸ方向、Ｙ方向の座標位置データに変換する信号処理回路と、
前記二次元センサが前記描画用光ビームを検知した時の信号により描画モードに設定されるとともに前記信号処理回路で変換された描画用の座標位置データを画像データに変換する画像処理回路と、
前記画像処理回路から出力される画像データをビデオ信号に変換して前記表示部に出力し前記描画ペンにより描かれる入力画像を表示部に表示する表示制御回路とを備えることを特徴とする描画装置。
【請求項２】
前記表示部に描かれる画像の色彩を指定するパレットパターンデータを格納する記憶部を備え、前記記憶部のパレットパターンデータは前記表示制御回路によりビデオ信号に変換されて前記表示部のパレット指定領域に表示されるように構成したことを特徴とする請求項１記載の描画装置。
【請求項３】
前記描画ペンは、ペンシル本体と、前記ペンシル本体内に配設され赤外線光ビームを出射する発光素子と、前記ペンシル本体内に設けられ前記発光素子から出射される赤外線光ビームを所定の周波数で変調して描画用光ビームを発生させる第１変調回路と、前記発光素子から変調された描画用光ビームが出射されるように前記第１変調回路を動作する描画用スイッチと、前記発光素子及び前記第１変調回路に電力を供給する電池とを備えることを特徴とする請求項１記載の描画装置。
【請求項４】
前記描画ペンは、ペンシル本体と、前記ペンシル本体内に配設され赤外線光ビームを出射する発光素子と、前記ペンシル本体内に設けられ前記発光素子から出射される赤外線光ビームを所定の第１周波数で変調して描画用光ビームを発生させる第１変調回路と、前記ペンシル本体内に設けられ前記発光素子から出射される赤外線光ビームを前記第１周波数と異なる第２周波数で変調してカーソル表示用光ビームを発生させる第２変調回路と、電池と、前記電池から前記発光素子及び前記第２変調回路に電力を切り換え供給するとともに前記発光素子から変調されたカーソル表示用光ビームが出射されるように前記第２変調回路を動作する電源スイッチと、前記電池を前記第２変調回路から前記第１変調回路へ切り換え接続するとともに前記発光素子から変調された描画用光ビームが出射されるように前記第１変調回路を動作させる描画用スイッチを有し、前記表示部に描かれる画像の色彩を指定するパレットパターンデータを格納する記憶部を備え、前記二次元センサは前記発光素子から発するカーソル表示用光ビーム検知するとともに前記描画ペンが空間上でＸ−Ｙ方向に操作されることに伴う前記カーソル表示用光ビームのＸ−Ｙ方向の位置を検出し、前記信号処理回路は前記二次元センサで検出されたカーソル表示用光ビームの位置をＸ方向、Ｙ方向の座標位置データに変換し、前記画像処理回路は前記二次元センサがカーソル表示用光ビームを検知した時の信号によりカーソル表示モードに設定されるとともに前記信号処理回路から出力されるカーソル用座標位置データを表示データに変換し、前記表示制御回路は前記カーソル表示データをビデオ信号に変換してカーソルを前記表示部に表示するように構成され、かつ前記表示制御回路は前記記憶部からのパレットパターンデータをビデオ信号に変換して前記表示部のパレット指定領域に表示するように構成したことを特徴とする請求項１記載の描画装置。
【請求項５】
前記表示部に表示されたカーソルを前記描画ペンの空間上でのＸ−Ｙ方向への操作により前記表示部のパレット指定領域に移動し、該パレット指定領域に表示されたパレットにカーソルを当てた状態で前記描画用スイッチのクリック操作に伴う前記発光素子からの光ビームによりクリックして前記表示部に描かれる画像の色彩を指定するように構成したことを特徴とする請求項４記載の描画装置。
【考案の詳細な説明】
【技術分野】
【０００１】
本考案は、文字や記号などのキャラクタ、または絵やイラストなどの任意の図形を描画し表現することが可能な描画装置に関し、さらに詳しくは、光を発するペンを空間にかざして移動することにより任意の図形を描画し表現できるようにした描画装置に関するものである。
【背景技術】
【０００２】
従来から、コンピュータを利用して種々の文字や記号などのキャラクタまたは絵やイラストなどの画像を作成してディスプレイ上に表示する描画装置が知られている（例えば、特許文献１および２参照）。
この種の描画装置は、入力の位置情報を作り出すタブレットと、その位置を指し示すタッチペンを備え、タッチペンの先端をタブレットの表面に接触させた状態で、タッチペンをＸ−Ｙ方向に移動して、入力したい文字や記号または絵やイラストなどを仮想的に描くことにより、タッチペンの位置をタブレットでＸ方向、Ｙ方向の座標位置データに変換するとともに、この座標位置データを画像処理回路に取り込んで画像データに変換し、さらに、この画像データをビデオ信号に変換した後、表示部に出力して、手書きの入力画像を表示部に表示するようにしている。
【特許文献１】特開２００２−３３４３４３号公報
【特許文献２】特開平１１−１５６０６２号公報
【考案の開示】
【考案が解決しようとする課題】
【０００３】
しかしながら、このような従来の描画装置では、タッチペンの他にタブレットが必要であるとともに、これらタッチペン及びタブレットは本体装置にケーブルにより接続されるため、描画装置が比較的に高価なものとなり、装置自体も複雑かつ大型化するという不具合ある。また、タッチペンの先端をタブレットの表面に押し付けながら描画操作を行うものであるため、タブレットへの描画操作には、その表面が損傷されたあり、または埋設されたセンス線などが破損されないように細心の注意を払う必要がある。このため、タブレットの表面への押し付け力を加減できず、かつ乱暴な取り扱いをする幼児などのお絵かきに用いる描画玩具には不向きである。しかも、描画に際してはタブレットの設置場所が必要になり、タブレットを使用しない時の管理が面倒になるという問題があった。
【０００４】
本考案は、上記のような従来の問題点を解決するためになされたもので、非接触及びコードレスで文字や記号などのキャラクタまたは絵やイラストなどの描画情報を任意に入力し表現できるとともに装置の低コスト化及び小型化を可能にし、併せて幼児などのお絵かき用描画玩具にも好適な描画装置を提供することを目的とする。
【課題を解決するための手段】
【０００５】
上記の目的を達成するために本考案にかかる描画装置の請求項１の考案は、表示部と、描画用光ビームを発するリモート式の描画ペンと、前記表示部側に配置され、前記描画ペンからの前記描画用光ビームを検知するとともに該描画ペンが空間上でＸ−Ｙ方向に操作されることに伴う前記描画用光ビームのＸ−Ｙ方向の位置を検出する二次元センサと、前記二次元センサで検出された前記描画用光ビームの位置をＸ方向、Ｙ方向の座標位置データに変換する信号処理回路と、前記二次元センサが前記描画用光ビームを検知した時の信号により描画モードに設定されるとともに前記信号処理回路で変換された描画用の座標位置データを画像データに変換する画像処理回路と、前記画像処理回路から出力される画像データをビデオ信号に変換して前記表示部に出力し前記描画ペンにより描かれる入力画像を表示部に表示する表示制御回路とを備えることを特徴とする。
【０００６】
請求項２の考案は、請求項１記載の描画装置において、前記表示部に描かれる画像の色彩を指定するパレットパターンデータを格納する記憶部を備え、前記記憶部のパレットパターンデータは前記表示制御回路によりビデオ信号に変換されて前記表示部のパレット指定領域に表示されるように構成したことを特徴とする。
請求項３の考案は、請求項１記載の描画装置において、前記描画ペンは、ペンシル本体と、前記ペンシル本体内に配設され赤外線光ビームを出射する発光素子と、前記ペンシル本体内に設けられ前記発光素子から出射される赤外線光ビームを所定の周波数で変調して描画用の光ビームを発生させる第１変調回路と、前記発光素子から変調された描画用光ビームが出射されるように前記第１変調回路を動作する描画用スイッチと、前記発光素子及び前記第１変調回路に電力を供給する電池とを備えることを特徴とする。
【０００７】
請求項４の考案は、請求項１記載の描画装置において、前記描画ペンは、ペンシル本体と、前記ペンシル本体内に配設され赤外線光ビームを出射する発光素子と、前記ペンシル本体内に設けられ前記発光素子から出射される赤外線光ビームを所定の第１周波数で変調して描画用光ビームを発生させる第１変調回路と、前記ペンシル本体内に設けられ前記発光素子から出射される赤外線光ビームを前記第１周波数と異なる第２周波数で変調してカーソル表示用の光ビームを発生させる第２変調回路と、電池と、前記電池から前記発光素子及び前記第２変調回路に電力を供給するとともに前記発光素子から変調されたカーソル表示用光ビームが出射されるように前記第２変調回路を動作する電源スイッチと、前記電池を前記第２変調回路から前記第１変調回路へ切り換え接続するとともに前記発光素子から変調された描画用光ビームが出射されるように前記第１変調回路を動作する描画用スイッチを有し、前記表示部に描かれる画像の色彩を指定するパレットパターンデータを格納する記憶部を備え、前記二次元センサは前記発光素子から発するカーソル表示用光ビーム検知するとともに前記描画ペンが空間上でＸ−Ｙ方向に操作されることに伴う前記カーソル表示用光ビームのＸ−Ｙ方向の位置を検出し、前記信号処理回路は前記二次元センサで検出されたカーソル表示用光ビームの位置をＸ方向、Ｙ方向の座標位置データに変換し、前記画像処理回路は前記二次元センサがカーソル表示用光ビームを検知した時の信号によりカーソル表示モードに設定されるとともに前記信号処理回路から出力されるカーソル用座標位置データを表示データに変換し、前記表示制御回路は前記カーソル表示データをビデオ信号に変換してカーソルを前記表示部に表示するように構成され、かつ前記表示制御回路は前記記憶部からのパレットパターンデータをビデオ信号に変換して前記表示部のパレット指定領域に表示するように構成したことを特徴とする。
【０００８】
請求項５の考案は、請求項４記載の描画装置において、前記表示部に表示されたカーソルを前記描画ペンの空間上でのＸ−Ｙ方向への操作により前記表示部のパレット指定領域に移動し、該パレット指定領域に表示されたパレットにカーソルを当てた状態で前記描画用スイッチのクリック操作に伴う前記発光素子からの光ビームによりクリックして前記表示部に描かれる画像の色彩を指定するように構成したことを特徴とする。
【考案の効果】
【０００９】
本考案の描画装置によれば、描画ペンから出射される描画用光ビームを二次元センサに向け、この状態で描画ペンを空間上でＸ−Ｙ方向に操作することにより、この描画用光ビームのＸ−Ｙ方向の位置を二次元センサで検出し、この描画用光ビームの位置を信号処理回路によりＸ方向、Ｙ方向の座標位置データに変換し、さらに、この描画用の座標位置データを画像処理回路により画像データに変換した後、この画像データを表示制御回路によりビデオ信号に変換し、描画ペンに空間上に描かれる入力画像を表示部に表示するようにしたので、非接触及びコードレス方式で文字や記号などのキャラクタまたは絵やイラストなどの描画情報を任意に入力し表現できるとともに装置の低コスト化及び小型化が可能になり、併せて幼児などのお絵かき用描画玩具にも好適になるという効果を有する。
【００１０】
また、本考案によれば、描画ペンの描画用スイッチをオン操作して第１変調回路を起動することにより発光素子から所定の周波数で変調された描画用の光ビームを発生させるようにしたので、外光に左右されることなく、キャラクタまたは絵やイラストなどの描画情報を自由に入力し描画することができる。
また、本考案によれば、表示部にパレットパターンを表示し、描画ペンの発光素子から出射されるカーソル表示用光ビームにより表示部に表示されたカーソルを表示部のパレット指定領域に移動し、このパレット指定領域に表示されたパレットにカーソルを当てた状態で描画用スイッチをクリック操作することにより表示部に描かれる画像の色彩を指定することができる。
【考案を実施するための最良の形態】
【００１１】
以下、本考案にかかる描画装置の実施の形態について図１〜図３を参照して説明する。なお、本考案にかかる描画装置は、以下に説明する実施例に限定されるものではない。
【実施例１】
【００１２】
図１は、本実施例１における描画装置の全体の構成図、図２は本実施例１における描画装置のブロック図、図３は本実施例１における描画装置の描画ペンの構成を示すブロック図である。
【００１３】
図１において、描画装置１０は、液晶ディスプレィ等からなる表示部１１と、描画用光ビーム及びカーソル表示用光ビームを発するリモート式の描画ペン１２と、表示部１１の枠体上部などに配置され、描画ペン１２からの描画用光ビーム及びカーソル表示用光ビームを検知するとともに描画ペン１２が空間上でＸ−Ｙ方向に操作されることに伴う描画用光ビームのＸ−Ｙ方向の位置及びカーソル表示用光ビームのＸ−Ｙ方向の位置を検出するための二次元センサ１３を備える。
【００１４】
描画ペン１２は、図３に示すように、先端部分が円錐筒状をなす筒状のペンシル本体１２１と、このペンシル本体１２１内に先端部寄り配設され赤外線光ビームを出射する発光素子１２２と、ペンシル本体１２１内に設けられ発光素子１２２を駆動する駆動回路１２８と、ペンシル本体１２１内に設けられ発光素子１２２から出射される赤外線光ビームを、例えば所定の第１周波数でパルス幅変調して描画用光ビームが発生されるように駆動回路１２８を動作させる第１変調回路１２３と、ペンシル本体１２１内に設けられ発光素子１２２から出射される赤外線光ビームを、例えば前記第１周波数と異なる第２周波数でパルス幅変調してカーソル表示用光ビームが発生されるように駆動回路１２８を動作させる第２変調回路１２４と、電池１２５と、電池１２５から発光素子１２２及び第２変調回路１２４に電力を切り換え供給するとともに発光素子１２２から変調されたカーソル表示用光ビームが出射されるように第２変調回路１２４を動作する電源スイッチ１２６と、電池１２５を第２変調回路１２４から第１変調回路１２３へ切り換え接続するとともに発光素子１２２から変調された描画用光ビームが出射されるように第１変調回路１２３を動作する描画用スイッチ１２７とを備えている。
【００１５】
二次元センサ１３は、図２に示すように、ＣＭＯＳイメージセンサ等からなる固体撮像素子１３１と、この固体撮像素子１３１の光入射側に配置され、描画ペン１２からの描画用光ビーム及びカーソル表示用光ビームを固体撮像素子１３１上に結像するレンズ１３２と、固体撮像素子１３１と結像するレンズ１３２との間に配置され、赤外線のみを通過させるフィルタ１３３と、固体撮像素子１３１で検出された描画用光ビームまたはカーソル表示用光ビームは電気信号に変換され、さらに、これら描画用光ビームまたはカーソル表示用光ビームをＸ方向、Ｙ方向の座標位置データ（ディジタル信号）に変換する信号処理回路１３４とを備え、この信号処理回路１３４からの座標位置データは通信用のインタフェース１３５を介して表示部１１側の画像処理部１４へ伝送されるようになっている。
【００１６】
画像処理部１４は、図２に示すように、固体撮像素子１３１で描画用光ビームを検知した時の信号により描画モードに設定されるとともに信号処理回路１３４からインタフェース１３５を介して伝送されてくる描画用の座標位置データを画像データに変換し、また、固体撮像素子１３１でカーソル表示用光ビームを検知した時の信号によりカーソル表示モードに設定されるとともに信号処理回路１３４からインタフェース１３５を介して伝送されてくるカーソル表示用の座標位置データを画像データに変換する画像処理回路１４１と、画像処理回路１４１から出力される描画用の画像データをビデオ信号（アナログ信号）に変換して表示部１１に出力し、描画ペン１２により描かれる入力画像を表示部１１に表示し、さらに、画像処理回路１４１から出力されるカーソル表示用の画像データをビデオ信号（アナログ信号）に変換して表示部１１に出力し、描画ペン１２の移動に伴うカーソルを表示部１１に表示する表示制御回路１４２と、表示部１１に描かれる画像の色彩を指定するパレットパターンデータを格納する記憶部１４３とを備える。記憶部１４３のパレットパターンデータは表示制御回路１４２によりビデオ信号（アナログ信号）に変換されて表示部１１のパレット指定領域１１ａに表示されるように構成されている。
【００１７】
次に、上記のように構成された本実施例１に示す描画装置の動作について説明する。
描画に際しては、まず、描画ペン１２を手で把持し、その先端側を二次元センサ１３に向けた状態で電源スイッチ１２６をオンする。すると、電池１２５から電源スイッチ１２６を通して発光素子１２２及び第２変調回路１２４に電力が供給されるため、第２変調回路１２４が動作され、この第２変調回路１２４からの駆動信号が駆動回路１２８を介して発光素子１２２に加えられると、発光素子１２２からパルス幅変調された赤外線のカーソル表示用光ビーム１２２ａが出射される。このカーソル表示用光ビーム１２２ａが二次元センサ１３のレンズ１３２及びフィルタ１３３を通して固体撮像素子１３１に集光されると、その光ビーム１２２ａは固体撮像素子１３１により電気信号に変換され、さらに、このカーソル表示用の電気信号は信号処理回路１３４により固体撮像素子１３１上におけるＸ方向、Ｙ方向の座標位置データ（ディジタル信号）に変換された後、インタフェース１３５を介して表示部１１側の画像処理部１４へ伝送される。
【００１８】
画像処理部１４の画像処理回路１４１では、カーソル表示用の座標位置データを画像データに変換し、さらに、表示制御回路１４２により、画像処理回路１４１から出力されるカーソル表示用の画像データをビデオ信号（アナログ信号）に変換して表示部１１に出力し、表示部１１の画面上にカーソル２０を表示する。ここで、描画ペン１２を二次元センサ１３に向けたまま、空間上でのＸ−Ｙ方向に移動すれば、これにつれて、表示画面上のカーソル２０に移動する。
【００１９】
したがって、表示部１１に表示する画像の色彩を設定する場合は、表示制御回路１４２により表示部１１に表示されているパレット指定領域１１ａにカーソルを移動し、パレット指定領域１１ａに表示されているパレットの１つにカーソル２０を合わせ、この状態で描画用スイッチ１２７をクリック操作する。すると、発光素子１２２から描画用光ビーム１２２Ｂが出射され、この光ビーム１２２Ｂが二次元センサ１３で検知され、その検知信号が信号処理回路１３４からインタフェース１３５を介して画像処理回路１４１に伝送される。これにより、画像処理回路１４１は表示部１１に描かれる画像の色彩を指定する。例えば、表示部１１のパレット指定領域１１ａに表示されている赤（Ｒ），緑（Ｇ），青（Ｂ）のうち、赤（Ｒ）のパレットをクリックすれば、表示部１１に描かれる画像は赤となる。また、表示部１１のパレット指定領域１１ａに表示されている白（Ｗ）のパレットをクリックすれば、表示部１１に描かれる画像は消去される。
【００２０】
次に、キャラクタまたは絵やイラストなどの絵を表示部１１上に描く場合について説明する。
この場合は、描画ペン１２を手で把持し、その先端側を二次元センサ１３に向けた状態で描画用スイッチ１２７をオン状態に保持する。すると、第２変調回路１２４が電池１２５から切り離されてオフ状態になり、これに代えて、第１変調回路１２３が描画用スイッチ１２７を介して電池１２５に接続される。このため、第１変調回路１２３が動作され、この第１変調回路１２３からの駆動信号が駆動回路１２８を介して発光素子１２２に加えられると、発光素子１２２からパルス幅変調された赤外線の描画用光ビーム１２２ｂが出射される。この描画用光ビーム１２２ｂが二次元センサ１３のレンズ１３２及びフィルタ１３３を通して固体撮像素子１３１に集光されると、その光ビーム１２２ａは固体撮像素子１３１により電気信号に変換され、さらに、この描画用の電気信号は信号処理回路１３４により固体撮像素子１３１上におけるＸ方向、Ｙ方向の座標位置データ（ディジタル信号）に変換された後、インタフェース１３５を介して表示部１１側の画像処理部１４へ伝送される。
【００２１】
画像処理部１４の画像処理回路１４１では、描画用の座標位置データを画像データに変換し、さらに、表示制御回路１４２により、画像処理回路１４１から出力される描画用の画像データをビデオ信号（アナログ信号）に変換して表示部１１に出力し、表示部１１の画面上に描画ペン１２の移動軌跡を表示する。例えば、図１に示すように、描画ペン１２を二次元センサ１３に向けたまま、空間上でのＸ−Ｙ方向に移動して「Ａ」を描けば、表示部１１の画面上に文字「Ａ」が表示される。この場合、描画用スイッチ１２７は字画毎にオン・オフ操作される。
【００２２】
ここで、表示部１１に表示された文字「Ａ」の表示色彩を変更したい場合は、描画用スイッチ１２７をオフにして第２変調回路１２４に電池１２５から電力を供給することで再起動する。これにより、上述の場合と同様に、発光素子１２２からパルス幅変調されたカーソル表示用光ビーム１２２ａを出射し、この光ビーム１２２ａを二次元センサ１３により検出し、インタフェース１３５を介して画像処理部１４へ伝送して、表示制御回路１４２により表示部１１にカーソル２０を表示し、このカーソル２０をパレット指定領域１１ａに表示されているパレットの１つ、例えば緑（Ｇ）のパレットに合わせた後、描画用スイッチ１２７をクリック操作すれば、表示部１１の画面上に書かれた文字「Ａ」を緑色に変更できる。
【００２３】
このように本実施例１に示す描画装置によれば、描画ペン１２から出射される描画用光ビームを二次元センサ１３に向け、この状態で描画ペン１２を空間上でＸ−Ｙ方向に操作することにより、この描画用光ビームのＸ−Ｙ方向の位置を二次元センサ１３で検出し、この描画用光ビームの位置を信号処理回路１３４によりＸ方向、Ｙ方向の座標位置データに変換し、さらに、この描画用の座標位置データを画像処理回路１４１により画像データに変換した後、この画像データを表示制御回路１４２によりビデオ信号に変換し、描画ペン１２に空間上に描かれる入力画像を表示部１１に表示するようにしたので、描画ペン１２を表示部１１等から離間した遠方から非接触及びコードレスで文字や記号などのキャラクタまたは絵やイラストなどの描画情報を任意に入力し表現でき、これにより、従来のようなタブレットが不要になり、描画装置の低コスト化及び小型化が可能になり、併せて幼児などのお絵かき用描画玩具にも好適になるという効果を有する。
【００２４】
また、本実施例１によれば、描画ペン１２の描画用スイッチ１２７をオン操作して第１変調回路１２３を起動することにより発光素子１２２から所定の周波数でパルス幅変調された描画用の光ビームを発生させるようにしたので、外光に左右されることなく、キャラクタまたは絵やイラストなどの描画情報を自由に入力し描画することができる。
また、本実施例１によれば、表示部１１にパレットパターンを表示し、描画ペン１２の発光素子１２２から出射されるカーソル表示用光ビームにより表示部１１に表示されたカーソルを表示部１１のパレット指定領域１１ａに移動し、このパレット指定領域１１ａに表示されたパレットにカーソル２０を当てた状態で描画用スイッチ１２７をクリック操作することにより表示部１１に描かれる画像の色彩を指定することができる。
【００２５】
なお、本考案は上記実施の形態に限定されるものではなく、その要旨を逸脱しない範囲において、具体的な構成、機能、作用効果において、他の種々の形態によっても実施することができる。
【図面の簡単な説明】
【００２６】
【図１】本実施例１における描画装置の全体の構成図である。
【図２】本実施例１における描画装置のブロック図である。
【図３】本実施例１における描画装置の描画ペンの構成を示すブロック図である。
【符号の説明】
【００２７】
１０    描画装置
１１    表示部
１２    描画ペン
１２１  ペンシル本体
１２２  発光素子
１２３  第１変調回路
１２４  第２変調回路
１２５  電池
１２６  電源スイッチ
１２７  描画用スイッチ
１３    二次元センサ
１３１  固体撮像素子
１３２  レンズ
１３３  フィルタ
１３４  信号処理回路
１３５  インタフェース
１４    画像処理部
１４１  画像処理回路
１４２  表示制御回路
１４３  記憶部
【図１】
0003121404.tif 000003
【図２】
0003121404.tif 000004
【図３】
0003121404.tif 000005